(57)【要約】【課題】液滴が吐出されることで画像が形成される連帳紙にシワが生じるのを抑制することができる画像形成装置を得る。【解決手段】画像形成後の連帳紙Ｐが巻き付けられるアイドルロール３０の外周面３０Ａには、外周面３０Ａに巻き付けられる連帳紙Ｐによって開口３６が閉止される凹部位３８が形成されている。これにより、外周面３０Ａと巻き付けられた連帳紙Ｐとの間で生じる摩擦力が小さくなり、カックル（部分的な波打ち）が延ばされる。このようにカックルＫが消滅するため、液滴が吐出されることで画像が形成される連帳紙ＰにシワＳが生じるのが抑制される。【選択図】図１
2014019070.tif 000002
【特許請求の範囲】
【請求項１】
搬送される連帳紙に液滴を吐出して画像を形成する画像形成部材と、
前記画像形成部材に対して連帳紙の搬送方向の下流側に配置され、連帳紙に形成された画像を乾燥する乾燥部材と、
前記乾燥部材に対して前記搬送方向の下流側に配置され、外周面に巻き掛けられた連帳紙によって開口が閉止される凹部位が前記外周面に形成され、回転しながら搬送される連帳紙を案内する円柱状の回転部材と、
を備える画像形成装置。
【請求項２】
前記凹部位は、前記回転部材の回転軸方向及び周方向に沿って複数形成されている請求項１に記載の画像形成装置。
【請求項３】
前記開口は、前記回転部材の回転軸方向に沿った矩形状とされ、
前記凹部位は、前記回転部材の回転方向の下流側で前記外周面と接触する縁辺から前記回転方向の上流側に延びて前記凹部位の内部に空気を導く導き面と、前記導き面における回転方向の上流側の縁辺から前記外周面に向けて立ち上がる立ち上げ面と、を含んで構成されている請求項１又は２に記載の画像形成装置。
【請求項４】
前記回転軸方向から見て、前記立ち上げ面と前記外周面とが接触する接点における接線と、前記立ち上げ面との成す角度は、９０度以上とされている請求項３に記載の画像形成装置。
【請求項５】
連帳紙によって前記開口が閉止される手前で前記凹部位の内部に空気が導かれるように空気を吹き出す吹出部材を備える請求項１〜４の何れか１項に記載の画像形成装置。
【発明の詳細な説明】
【技術分野】
【０００１】
本発明は、画像形成装置に関する。
【背景技術】
【０００２】
特許文献１には、輪転印刷機のためのターンバーが記載されている。このターンバーは、回転しないように固定されており、ターンバーの円周面と印刷ウェブとの間にはエアクッションが設けられている。
【先行技術文献】
【特許文献】
【０００３】
【特許文献１】特開平１１−１０５２４２号公報
【発明の概要】
【発明が解決しようとする課題】
【０００４】
本発明の課題は、液滴が吐出されることで画像が形成される連帳紙にシワが生じるのを抑制することである。
【課題を解決するための手段】
【０００５】
本発明の請求項１に係る画像形成装置は、搬送される連帳紙に液滴を吐出して画像を形成する画像形成部材と、前記画像形成部材に対して連帳紙の搬送方向の下流側に配置され、連帳紙に形成された画像を乾燥する乾燥部材と、前記乾燥部材に対して前記搬送方向の下流側に配置され、外周面に巻き掛けられた連帳紙によって開口が閉止される凹部位が前記外周面に形成され、回転しながら搬送される連帳紙を案内する円柱状の回転部材と、を備えることを特徴とする。
【０００６】
本発明の請求項２に係る画像形成装置は、請求項１に記載の画像形成装置において、前記凹部位は、前記回転部材の回転軸方向及び周方向に沿って複数形成されていることを特徴とする。
【０００７】
本発明の請求項３に係る画像形成装置は、請求項１又は２に記載の画像形成装置において、前記開口は、前記回転部材の回転軸方向に沿った矩形状とされ、前記凹部位は、前記回転部材の回転方向の下流側で前記外周面と接触する縁辺から前記回転方向の上流側に延びて前記凹部位の内部に空気を導く導き面と、前記導き面における回転方向の上流側の縁辺から前記外周面に向けて立ち上がる立ち上げ面と、を含んで構成されていることを特徴とする。
【０００８】
本発明の請求項４に係る画像形成装置は、請求項３に記載の画像形成装置において、前記回転軸方向から見て、前記立ち上げ面と前記外周面とが接触する接点における接線と、前記立ち上げ面との成す角度は、９０度以上とされていることを特徴とする。
【０００９】
本発明の請求項５に係る画像形成装置は、請求項１〜４の何れか１項に記載された画像形成装置において、連帳紙によって前記開口が閉止される手前で前記凹部位の内部に空気が導かれるように空気を吹き出す吹出部材を備えることを特徴とする。
【発明の効果】
【００１０】
本発明の請求項１の画像形成装置によれば、回転部材の外周面に、巻き掛けられた連帳紙によって開口が閉止される凹部位が形成されていない場合と比して、液滴が吐出されることで画像が形成される連帳紙にシワが生じるのを抑制することができる。
【００１１】
本発明の請求項２の画像形成装置によれば、外周面に形成された凹部位が一個の場合と比して、連帳紙の全体に亘って満遍なくシワが生じるのを抑制することができる。
【００１２】
本発明の請求項３の画像形成装置によれば、凹部位の内部に空気を導く導き面が形成されていない場合と比して、連帳紙にシワが生じるのを効果的に抑制することができる。
【００１３】
本発明の請求項４の画像形成装置によれば、回転軸方向から見て、立ち上げ面と外周面とが接触する接点における接線と、立ち上げ面との成す角度が、９０度より小さい場合と比して、凹部位の内部に導かれた空気が外部に放出されるのを抑制することができる。
【００１４】
本発明の請求項５の画像形成装置によれば、凹部位の内部に空気が導かれるように空気を吹き出す吹出部材が備えられていない場合と比して、連帳紙にシワが生じるのを効果的に抑制することができる。
【図面の簡単な説明】
【００１５】
【図１】本発明の実施形態に係る画像形成装置に備えられたアイドルロールを示した側面図である。
【図２】本発明の実施形態に係る画像形成装置に備えられたアイドルロールを示した斜視図である。
【図３】本発明の実施形態に係る画像形成装置に備えられたアイドルロールに形成された凹部位を示した斜視図である。
【図４】本発明の実施形態に係る画像形成装置に備えられたアイドルロールを示した拡大側面図である。
【図５】本発明の実施形態に係る画像形成装置に備えられたアイドルロールを示した拡大側面図である。
【図６】（Ａ）（Ｂ）本発明の実施形態に係る画像形成装置に備えられたアイドルロールを正面から見た図面であって、カックルが消滅するのを説明した説明図である。
【図７】本発明の実施形態に係る画像形成装置を示した概略構成図である。
【図８】（Ａ）（Ｂ）本発明の実施形態に対する比較例に係る画像形成装置に備えられたアイドルロールを正面から見た図面であって、カックルがシワになるのを説明した説明図である。
【発明を実施するための形態】
【００１６】
本発明の実施形態に係る画像形成装置の一例を図１〜図８に従って説明する。なお図中に示す矢印ＵＰは、鉛直方向の上方を示す。
【００１７】
（全体構成）
図７に示されるように、画像形成装置１０は、記録媒体としての連帳紙Ｐに画像形成ユニット１２と、画像形成ユニット１２に供給する連帳紙Ｐが収容される前処理ユニット１４と、画像形成ユニット１２と前処理ユニット１４との間に配置され、前処理ユニット１４から画像形成ユニット１２へ供給される連帳紙Ｐの搬送量等を調整するバッファユニット１６と、を備えている。
【００１８】
さらに、画像形成装置１０は、画像形成ユニット１２から排出される連帳紙Ｐを収容する後処理ユニット１８と、画像形成ユニット１２と後処理ユニット１８との間に配置され、画像形成ユニット１２から後処理ユニット１８へ排出される連帳紙Ｐの搬送量等を調整するバッファユニット２０と、を備えている。
【００１９】
画像形成ユニット１２の内部には、連帳紙Ｐの搬送経路２４に沿って搬送される連帳紙Ｐに液滴を吐出して画像を形成する画像形成部材の一例としての液滴吐出装置２１が備えられている。
【００２０】
液滴吐出装置２１は、連帳紙Ｐに液滴を吐出してＫ（ブラック）色の画像を形成する液滴吐出ヘッド２２Ｋと、Ｙ（イエロー）色の画像を形成する液滴吐出ヘッド２２Ｙと、Ｍ（マゼンタ）色の画像を形成する液滴吐出ヘッド２２Ｍと、Ｃ（シアン）色の画像を形成する液滴吐出ヘッド２２Ｃとを備えている。そして、滴吐出ヘッド２２Ｋと、液滴吐出ヘッド２２Ｙと、液滴吐出ヘッド２２Ｍと、液滴吐出ヘッド２２Ｃとは、この順番で連帳紙Ｐの搬送方向（以下単に「用紙搬送方向」と記載する）に沿って上流側から下流側に連帳紙Ｐと対向するように並べられている。
【００２１】
なお、以後の説明では、Ｋ、Ｙ、Ｍ、Ｃを区別しない場合には、符号に付しているＫ、Ｙ、Ｍ、Ｃを省略する。
【００２２】
また、前処理ユニット１４は、画像形成ユニット１２へ供給される連帳紙Ｐが巻き付けられている供給ロール２７を備えており、この供給ロール２７は、図示せぬフレーム部材に回転可能に支持されている。
【００２３】
一方、後処理ユニット１８は、画像が形成された連帳紙Ｐを巻き取る巻取ロール２８を備えている。そして、この巻取ロール２８が図示せぬモータから回転力を受けて回転することで、連帳紙Ｐが搬送経路２４に沿って搬送されるようになっている。
【００２４】
この構成において、巻取ロール２８を回転させることで、用紙搬送方向の張力が連帳紙Ｐに付与され、連帳紙Ｐが搬送経路２４に沿って搬送される。そして、液滴吐出ヘッド２２が、搬送される連帳紙Ｐに各色の液滴を吐出することで連帳紙Ｐに画像が形成されるようになっている。
【００２５】
（要部構成）
次に、要部構成について説明する。
【００２６】
液滴吐出ヘッド２２Ｃに対して用紙搬送方向の下流側には、外周面２６Ａに連帳紙Ｐの裏面が巻き掛けられ、搬送される連帳紙Ｐと接触して従動回転しながら連帳紙Ｐに形成された画像を乾燥するために用いられる乾燥ドラム２６が配置されている。
【００２７】
乾燥ドラム２６の周囲には、連帳紙Ｐに形成された画像を乾燥させる乾燥部材の一例としてのハロゲンヒータ２９が配置されている。このハロゲンヒータ２９によって、乾燥ドラム２６に巻き掛けられた連帳紙Ｐの画像が乾燥するようになっている。
【００２８】
乾燥ドラム２６に対して用紙搬送方向の下流側には、図１に示されるように、外周面３０Ａに連帳紙Ｐが巻き掛けられ、搬送される連帳紙Ｐに接触して従動回転しながら連帳紙Ｐを案内する回転部材の一例としてのアイドルロール３０が配置されている。さらに、アイドルロール３０に対して用紙搬送方向の下流側には、アイドルロール３０と同様に、搬送される連帳紙Ｐに接触して従動回転しながら連帳紙Ｐを案内するアイドルロール３２が配置されている。
【００２９】
アイドルロール３０の回転軸３０Ｂは、図示せぬフレームに回転可能に支持され、アイドルロール３０の外周面３０Ａには、図１、図２に示されるように、巻き掛けられた連帳紙Ｐによって開口３６が閉止される凹部位３８が複数形成されている。
【００３０】
この凹部位３８は、アイドルロール３０の回転軸方向及び周方向に沿って複数形成されており、回転軸方向及び周方向に対して千鳥状に配置されている。なお、回転軸方向において、凹部位３８の一部が、隣りの凹部位３８の一部とラップしている。
【００３１】
開口３６は、図３に示されるように、アイドルロール３０の回転軸方向（図中矢印Ｄ方向：以下単に「ロール回転軸方向」と記載する）に沿った矩形状とされている。そして、凹部位３８には、アイドルロール３０の回転方向（図中矢印Ｅ方向：以下単に「ロール回転方向」と記載する）の下流側で外周面３０Ａと接触する縁辺３６Ａからロール回転方向の上流側に延びて凹部位３８の内部に空気を導く導き面４０が形成されている。さらに、凹部位３８には、この導き面４０におけるロール回転方向の上流側の縁辺４０Ａから外周面３０Ａに向けて立ち上がる立ち上げ面４２が形成されている。また、凹部位３８には、ロール回転軸方向に互いに対向する一対の側面４４が形成されている。
【００３２】
以上より、凹部位３８は、導き面４０と、立ち上げ面４２と、一対の側面４４とから構成されている。
【００３３】
また、図５に示されるように、ロール回転軸方向から見て、立ち上げ面４２と外周面３０Ａとが接触（稜線）する接点Ｅにおける接線Ｆと、立ち上げ面４２との成す角度（図中Ｇ）は、９０度以上とされている（本実施例では９０度）。
【００３４】
さらに、画像形成装置１０には、図１に示されるように、連帳紙Ｐによって開口３６が閉止される手前で凹部位３８の内部に空気が導かれるように空気を吹き出す吹出部材の一例としてのファンノズル５０が、ロール回転軸方向に沿って複数備えられている。
【００３５】
ファンノズル５０は、アイドルロール３０の外周面３０Ａと連帳紙Ｐとの間に空気を吹き付けるように配置されている。そして、外周面３０Ａと連帳紙Ｐとの間に吹き付けられた空気は、連帳紙Ｐに当たって凹部位３８の内部に導かれると共に、連帳紙Ｐによって開口３６が閉止される際に、凹部位３８の内部に押し込まれるようになっている。
【００３６】
（要部構成の作用）
次に、要部構成の作用について説明する。
【００３７】
各色の液滴吐出ヘッド２２が搬送される連帳紙Ｐに液滴を吐出することで、連帳紙Ｐに画像が形成される。
【００３８】
画像が形成された連帳紙Ｐは、図７に示されるように、乾燥ドラム２６の外周面２６Ａに巻き付けられながら案内される。乾燥ドラム２６の外周面２６Ａに巻き付けられた連帳紙Ｐの画像は、乾燥ドラム２６の周囲に配置されたハロゲンヒータ２９の熱により、水分が減少して乾燥される。
【００３９】
ここで、画像が形成された部分（画像部分）と、画像が形成されていない部分（白紙部分）とで連帳紙Ｐに含まれる水分量が異なるため、画像部分と白紙部分とでハロゲンヒータ２９の熱によって収縮する収縮量に差が生じる。
【００４０】
そして、白紙部分の収縮量が、画像部分の収縮量に対して大きいため、連帳紙Ｐにカックル（部分的な波打ち）が発生する。
【００４１】
カックルが発生した連帳紙Ｐは、図１に示されるように、アイドルロール３０に向かって搬送され、搬送される連帳紙Ｐと接触するアイドルロール３０は従動回転しながら連帳紙Ｐを搬送経路２４に沿って案内する。
【００４２】
アイドルロール３０が回転することで、図４に示されるように、アイドルロール３０の周囲の空気が、導き面４０から凹部位３８の内部に導かれ（図中矢印Ｈ参照）、凹部位３８の内部に導かれた空気は、立ち上げ面４２に当たって凹部位３８の内部に滞留する。
【００４３】
さらに、ファンノズル５０が、アイドルロール３０の外周面３０Ａと連帳紙Ｐとの間に空気を吹き付ける、外周面３０Ａと連帳紙Ｐとの間に吹き付けられた空気は、連帳紙Ｐに当たって凹部位３８の内部に導かれる。
【００４４】
ファンノズル５０から空気を吹き出させることで凹部位３８の内部に導かれようとする空気と、アイドルロール３０が回転することで導き面４０に沿って凹部位３８の内部に導かれようとする空気とは、連帳紙Ｐによって開口３６が閉止される際に、凹部位３８の内部に押し込まれる。これにより、連帳紙Ｐによって開口３６が閉止された状態で、凹部位３８の内部は、正圧（外気圧より気圧が高い状態）となる。
【００４５】
そして、アイドルロール３０に巻き掛けられた連帳紙Ｐと、アイドルロール３０の外周面３０Ａとの間で生じる摩擦力は、外周面３０Ａに凹部位３８が形成されていない場合と比して、小さくなる。このため、外周面３０Ａに巻き掛けられた連帳紙Ｐは、図６（Ａ）に示されるように、ロール軸方向の外側（図中矢印Ｊ参照）に延ばされるようになる。これにより、連帳紙Ｐに生じていたカックルＫ（図６（Ａ）参照）の消滅が促進される（図６（Ｂ）参照）。
【００４６】
一方、アイドルロール１００の外周面１００Ａに凹部位が形成されていない場合（本実施形態に対する比較例の場合）には、連帳紙Ｐは、図８（Ａ）に示されるように、ロール軸方向の外側に延ばされようとしない。このため、連帳紙Ｐに生じていたカックルＫが、図８（Ｂ）に示されるように、シワＳになってしまうことがある。
【００４７】
以上説明したように、アイドルロール３０の外周面３０Ａに巻き付けられる連帳紙Ｐによって開口３６が閉止される凹部位３８を外周面３０Ａに形成することで、凹部位３８が形成されていない場合と比して、外周面３０Ａと連帳紙Ｐとの間で生じる摩擦力が小さくなる。これにより、カックルＫが消滅するため、液滴が吐出されることで画像が形成される連帳紙ＰにシワＳが生じるのが抑制される。
【００４８】
また、ロール回転軸方向及びロール回転方向に沿って凹部位３８を複数形成することで、凹部位が一個の場合と比して、連帳紙Ｐの全体に亘って満遍なくシワが生じるのが抑制される。
【００４９】
また、凹部位３８の内部に空気を導く導き面４０が形成されているため、導き面４０が形成されていない場合と比して、凹部位３８の内部に導かれる空気の量が多くなる（内圧が高くなる）。これにより、外周面３０Ａと連帳紙Ｐとの間で生じる摩擦力が小さくなるため、連帳紙Ｐにシワが生じるのが効果的に抑制される。
【００５０】
また、ロール回転軸方向から見て、立ち上げ面４２と外周面３０Ａとが接触する接点Ｅにおける接線Ｆと、立ち上げ面４２との成す角度が９０度以上とされている。このため、接線Ｆと立ち上げ面４２との成す角度が９０度より小さい場合と比して、凹部位３８の内部に導かれた空気が外部に放出されるのが抑制される。これにより、凹部位３８の内部に滞留する空気の量が多くなるため、外周面３０Ａと連帳紙Ｐとの間で生じる摩擦力がより小さくなり、連帳紙Ｐにシワが生じるのがさらに効果的に抑制される。
【００５１】
また、凹部位３８の内部に空気が導かれるように空気を吹き出すファンノズル５０が画像形成装置１０に備えられているため、凹部位３８の内部に空気が押し込まれる。これにより、連帳紙Ｐと外周面３０Ａとの間で生じる摩擦力が、ファンノズル５０が備えられていない場合と比して、小さくなる。このため、連帳紙Ｐにシワが生じるのがさらに効果的に抑制される。
【００５２】
また、乾燥後の連帳紙Ｐの画像に水分が予定以上に含まれている場合でも、外周面３０Ａと連帳紙Ｐとの間で生じる摩擦力が小さくなるため、連帳紙ＰにシワＳが生じるのが抑制される。
【００５３】
なお、本発明を特定の実施形態について詳細に説明したが、本発明はかかる実施形態に限定されるものではなく、本発明の範囲内にて他の種々の実施形態をとることが可能であることは当業者にとって明らかである。例えば、上記実施形態では、凹部位３８の内部が正圧となる場合を例にとって説明したが、外周面３０Ａと連帳紙Ｐとの間で生じる摩擦力が、凹部位３８が形成されていない場合と比して、小さくなればよく、凹部位３８の内部が負圧であってもよい。
【００５４】
また、上記実施形態では、ファンノズル５０を備えた構成について説明したが、特にファンノズルを備えなくてもよい。
【符号の説明】
【００５５】
１０          画像形成装置
２１          液滴吐出装置（画像形成部材の一例）
２４          搬送経路
２９          ハロゲンヒータ（乾燥部材の一例）
３０          アイドルロール（回転部材の一例）
３０Ａ        外周面
３０Ｂ        回転軸
３６Ａ        縁辺
３６          開口
３８          凹部位
４０          導き面
４０Ａ        縁辺
４２          立ち上げ面
５０          ファンノズル（吹出部材の一例）
【図１】
2014019070.tif 000003
【図２】
2014019070.tif 000004
【図３】
2014019070.tif 000005
【図４】
2014019070.tif 000006
【図５】
2014019070.tif 000007
【図６】
2014019070.tif 000008
【図７】
2014019070.tif 000009
【図８】
2014019070.tif 000010